(57)【要約】      （修正有）【課題】繰り返し溶湯金属攪拌用回転体を溶湯金属中に浸漬しても、ローターに亀裂が生じにくい溶湯金属攪拌用回転体およびこれを備えた溶湯金属処理装置を提供する。【解決手段】本発明の溶湯金属攪拌用回転体は、内部が上方から下方に向けてガスが流れる第１のガス供給路２とされた筒状のシャフト３と、シャフト３の下端と接続される接続部４を有するローター５とを備えるとともに、ローター５は、接続部４の内部に設けられた、第１のガス供給路２を流れたガスをローター５の下面側に排出するための第２のガス供給路８と、第２のガス供給路８を流れたガスを外縁方向に流したのちに外部に排出するための排出路９と、接続部４の下方であって、かつ排出路９よりも上方に位置し、排出路９と繋がる空間10と、を有してなり、空間10の径が、第２のガス供給路８の径より大きい。【選択図】図２
2015064190.tif 000002
【特許請求の範囲】
【請求項１】
内部が上方から下方に向けてガスが流れる第１のガス供給路とされた筒状のシャフトと、該シャフトの下端と接続される接続部を有するローターとを備えるとともに、該ローターは、前記接続部の内部に設けられた、前記第１のガス供給路を流れた前記ガスを前記ローターの下面側に排出するための第２のガス供給路と、該第２のガス供給路を流れたガスを外縁方向に流したのちに外部に排出するための排出路と、前記接続部の下方であって、かつ前記排出路よりも上方に位置し、前記排出路と繋がる空間と、を有してなり、前記空間の径が、前記第２のガス供給路の径より大きいことを特徴とする溶湯金属撹拌用回転体。
【請求項２】
前記ローターは、前記接続部を有するとともに、前記空間から前記外縁方向に延びる第１の切り欠き部を有する板状体と、該板状体の下面側で、かつ前記第１の切り欠き部に沿って、前記空間側から前記外縁方向に向かって延びる複数の第１の隔壁を備えてなり、前記第１の隔壁と前記板状体とで囲まれた空間が前記排出路とされ、前記第１の切り欠き部と前記隔壁とで囲まれた空間が空隙部とされていることを特徴とする請求項１に記載の溶湯金属攪拌用回転体。
【請求項３】
前記隔壁の前記空間側において、前記隔壁の高さが前記空間に向かって漸次低くなっていることを特徴とする請求項２に記載の溶湯金属攪拌用回転体。
【請求項４】
前記ローターは、前記接続部を有する板状体と、該板状体の下面側に設けられた、外縁に向かって延びる複数の第１の隔壁および前記外縁に沿って間隔を空けて配置された複数の第２の隔壁を有してなり、前記第１の隔壁と前記第２の隔壁とは非接触となるよう配置されており、前記第１の隔壁と前記第２の隔壁と前記板状体とで囲まれた空間が前記排出路とされていることを特徴とする請求項１に記載の溶湯金属攪拌用回転体。
【請求項５】
前記ローターを下面側から平面視したとき、前記第１の隔壁が、前記空間の縁と間を空けて位置することを特徴とする請求項４に記載の溶湯金属攪拌用回転体。
【請求項６】
前記第１の隔壁の高さが前記第２の隔壁の高さ以下であることを特徴とする請求項４または請求項５に記載の溶湯金属攪拌用回転体。
【請求項７】
前記第１の隔壁が前記外縁と接して配置されていることを特徴とする請求項４乃至請求項６のいずれかに記載の溶湯金属攪拌用回転体。
【請求項８】
前記第２の隔壁の間における前記外縁の少なくとも一部が第２の切り欠き部とされていることを特徴とする請求項５乃至請求項７のいずれかに記載の溶湯金属攪拌用回転体。
【請求項９】
前記第２の隔壁部が、前記第２の切り欠き部に沿って設けられていることを特徴とする請求項８に記載の溶湯金属攪拌用回転体。
【請求項１０】
前記排出路が前記外縁方向に向けて下向きに傾斜していることを特徴とする請求項１乃至請求項９のいずれかに記載の溶湯金属攪拌用回転体。
【請求項１１】
溶湯金属を入れる容器と、連結具を介して回転駆動機構に接続された請求項１乃至請求項１０のいずれかに記載の溶湯金属攪拌用回転体とを備えていることを特徴とする溶湯金属処理装置。
【発明の詳細な説明】
【技術分野】
【０００１】
本発明は、溶湯金属中の不純物の処理に用いられる溶湯金属攪拌用回転体およびこれを備えた溶湯金属処理装置に関するものである。
【背景技術】
【０００２】
近年、燃費の向上やＣＯ２排出の削減を図るため、例えば、自動車の構成部品の軽量化対策として、原材料であるアルミニウムやその合金を溶融させた溶湯金属を鋳型に流し込んで冷却し、所定の形状とする鋳造方法が採用されている。
【０００３】
また、溶湯金属中の不純物の処理には、溶湯金属中にガスを排出し、不純物を液面に浮上させる処理方法がある。この処理方法には、軸方向にガス供給用の貫通孔が穿設されたシャフトと、シャフトの端部に取り付けられ、周面に前記貫通孔に通じるガス噴出孔が多数形成された回転体とを備えた溶湯金属攪拌用回転体を有する溶湯金属処理装置が用いられている。
【０００４】
このような処理装置に用いられる溶湯金属攪拌用回転体として、例えば特許文献１には、内部が上方から下方に向けてガスが流れるガス供給路とされたシャフトと、シャフトの下端部に固定され、ガス供給管と一体化された回転子により構成され、回転子は、上方から下方の方向に亘って径が同じであって、ガス供給路と連続するガス通路と、ガス通路と直接接続され、ガス通路に流れたガスを、外縁方向に流したのちに外部に排出するための溝とを備える溶湯金属攪拌用回転体が提案されている。
【先行技術文献】
【特許文献】
【０００５】
【特許文献１】特開2006−176874号公報
【発明の概要】
【発明が解決しようとする課題】
【０００６】
しかしながら、特許文献１に記載の溶湯金属攪拌用回転体は、上方から下方の方向に亘って径が同じであるガス通路が溝と直接接続される構成であることから、溶湯金属攪拌用回転体を溶湯金属中に浸漬した際に生じる熱応力が、ガス通路と溝との境界に集中しやすくなり、回転子に大きな熱応力がかかり、繰り返し溶湯金属攪拌用回転体を溶湯金属中に浸漬すると回転子に亀裂が生じやすいという問題があった。
【０００７】
本発明は、上記問題を解決すべく案出されたものであり、繰り返し溶湯金属攪拌用回転体を溶湯金属中に浸漬しても、回転子に亀裂が生じにくい溶湯金属攪拌用回転体およびこれを備えた溶湯金属処理装置を提供することを目的とする。
【課題を解決するための手段】
【０００８】
本発明の溶湯金属攪拌用回転体は、内部が上方から下方に向けてガスが流れる第１のガス供給路とされた筒状のシャフトと、該シャフトの下端と接続される接続部を有するローターとを備えるとともに、該ローターは、前記接続部の内部に設けられた、前記第１のガス供給路を流れた前記ガスを前記ローターの下面側に排出するための第２のガス供給路と、該第２のガス供給路を流れたガスを外縁方向に流したのちに外部に排出するための排出路と、前記接続部の下方であって、かつ前記排出路よりも上方に位置し、前記排出路と繋がる空間と、を有してなり、前記空間の径が、前記第２のガス供給路の径より大きいことを特徴とするものである。
【０００９】
また、本発明の溶湯金属処理装置は、溶湯金属を入れる容器と、連結具を介して回転駆動機構に接続された上記溶湯金属攪拌用回転体とを備えていることを特徴とするものである。
【発明の効果】
【００１０】
本発明の溶湯金属攪拌用回転体によれば、ローターにおいて熱応力が集中しやすい場所が、空間と第２のガス供給路との境界および空間と排出路との境界に分散されるため、ローター全体にかかる熱応力を抑制することができ、繰り返し溶湯金属攪拌用回転体を溶湯金属中に浸漬しても、ローターに亀裂が生じにくくなる。
【００１１】
また、本発明の溶湯金属処理装置によれば、メンテナンスコストの削減を図ることができるため、長期間にわたって良好な溶湯金属処理装置とすることができる。
【図面の簡単な説明】
【００１２】
【図１】本実施形態の溶湯金属攪拌用回転体を備えた溶湯金属処理装置の一例を示す縦断面図である。
【図２】本実施形態の溶湯金属攪拌用回転体を構成するローターの一例を示す、（ａ）はローターの下面側から見た斜視図，（ｂ）はローターの下面側から見た平面図，（ｃ）は（ｂ）におけるＡ−Ｏ−Ｂ線での断面図である。
【図３】本実施形態の溶湯金属攪拌用回転体を構成するローターの他の一例を示す、（ａ）はローターの下面側から見た斜視図，（ｂ）はローターの下面側から見た平面図，（ｃ）は（Ｂ）におけるＡ−Ｏ−Ｂ線での断面図である。
【図４】本実施形態の溶湯金属攪拌用回転体を構成するローターのその他の一例を示す、ローターの下面側から見た斜視図である。
【図５】本実施形態の溶湯金属攪拌用回転体を構成するローターのその他の一例を示す、（ａ）はローターの下面側から見た斜視図，（ｂ）はローターの下面側から見た平面図，（ｃ）は（Ｂ）におけるＡ−Ｏ−Ｂ線での断面図である。
【図６】本実施形態の溶湯金属攪拌用回転体を構成するローターのその他の一例を示す、ローターの下面側から見た平面図である。
【図７】本実施形態の溶湯金属攪拌用回転体を構成するローターのその他の一例を示す、ローターの下面側から見た平面図である。
【発明を実施するための形態】
【００１３】
以下、本実施形態の溶湯金属攪拌用回転体およびこれを備える溶湯金属処理装置の一例について説明する。
【００１４】
図１は、本実施形態の溶湯金属攪拌用回転体を備える溶湯金属処理装置の一例を示す縦断面図である。
【００１５】
図１に示す例のように、溶湯金属処理装置25は、溶湯金属11を入れる容器12と、内部が上方から下方に向けてガスが流れる第１のガス供給路２とされた筒状のシャフト３と、シャフト３の下端と接続される接続部４を有するローター５とを備える溶湯金属攪拌用回転体１と、ガスを第１のガス供給路２に供給すると同時にシャフト３およびローター５を回転させるための回転駆動機構６とを備え、シャフト３は連結具７により回転駆動機構６と連結されている。
【００１６】
また、ローター５は、接続部４の内部に設けられた、第１のガス供給路２を流れたガスをローター５の下面側に排出するための第２のガス供給路８と、第２のガス供給路８を流れたガスを、外縁方向に流したのちに外部に排出するための排出路（図示しない）とを備
えている。
【００１７】
この溶湯金属攪拌用回転体１を備えた溶湯金属処理装置25は、連結具７を介して接続されている回転駆動機構６によって溶湯金属11に浸漬したシャフト３およびローター５を回転させる。またその際、回転駆動機構６から供給されたガスが、第１のガス供給路２および第２のガス供給路８を介してローター５の下面側に排出され、排出されたガスが泡となり、この泡が、排出路を通ってローター５の外部（ローター５の外周）に排出される。
【００１８】
このように、ローター５の外部に排出された微細な泡に、溶湯金属11中の水素や非金属酸化物等の不純物30が取り込まれたり付着したりする。そして、不純物30が取り込まれたまたは付着した泡が、溶湯金属11の液面に浮上することにより、液面側に不純物30が集まることとなる。そして、図１には示していないが、容器12において、液面の近傍（液面よりは下方側に位置する）に、排出部を設けることで、液面側に集まった不純物30を容易に回収することができ、溶湯金属11の精製を効率よく行なうことができる。
【００１９】
図２は、本実施形態の溶湯金属攪拌用回転体を構成するローターの一例を示す、（ａ）はローターの下面側から見た斜視図，（ｂ）はローターの下面側から見た平面図，（ｃ）は（ｂ）におけるＡ−Ｏ−Ｂ線での断面図である。
【００２０】
図２に示すローター５は、下面側において、外縁に沿って間隔を空けて配置された複数の隔壁13（後の説明における第２の隔壁に相当する）を有しており、ローター５の下面と隣接する隔壁13間とで囲まれる空間が排出路９とされている。なお、隔壁13の代わりに、ローター５の下面に、外縁に向かって延びる隔壁（後の説明における第１の隔壁に相当する）を複数設け、隣り合う隔壁の間の空間を排出路９としてもよいし、ローター５の下面に、外縁に向かって延びる溝を設けて、その溝を排出路９としてもよい。
【００２１】
また、図２（ｃ）に示すように、ローター５は、第２のガス供給路８の周辺の面と、排出路９に対応するローター５の下面とに段差を設けて空間10が設けられている。すなわち、ローター５は、シャフト３との接続部４の下方であって、かつ排出路９よりも上方に位置し、排出路９と繋がる空間10を有しており、空間10の径が、第２のガス供給路８の径より大きい。
【００２２】
このような構成であると、熱応力が集中しやすい場所が、空間10と第２のガス供給路８との境界14および空間10と排出路９との境界15に分散されるため、ローター５における応力集中を抑制することができ、繰り返し溶湯金属攪拌用回転体１を溶湯金属11中に浸漬しても、ローター５に亀裂が生じにくい。
【００２３】
また、空間10の径を第２のガス供給路８の径よりも大きくすることで、空間10が泡だまりとなり、ローター５の回転によって、泡がローター５の外縁方向に万遍なく拡がって流れることとなり、ローター５の外部に良好に分散した泡を排出することができる。
【００２４】
なお、空間10の径は第２のガス供給路８の径の1.2〜２倍の範囲内とすることが好適で
ある。
【００２５】
ここで、空間10における側面を、第２のガス供給路８の端部から排出路９に向かって、外縁方向に傾斜する面とすることで、泡がローター５の外縁方向により流れやすくなり好適である。
【００２６】
図３は、本実施形態の溶湯金属攪拌用回転体を構成するローターの他の一例を示す、（ａ）はローターの下面側から見た斜視図，（ｂ）はローターの下面側から見た平面図，（
ｃ）は（Ｂ）におけるＡ−Ｏ−Ｂ線での断面図である。
【００２７】
図３に示すローター５は、空間10側から外縁方向に延びる第１の切り欠き部18を有する板状体22と、この板状体22の下面側で、かつ第１の切り欠き部18に沿って、空間10側から外縁方向に向かって延びる複数の第１の隔壁16とを備えている。そして、隣接する第１の隔壁16間と板状体22とで囲まれた空間が排出路９とされ、第１の切り欠き部18と隣接する第１の隔壁16間とで囲まれた空間が空隙部21とされている。
【００２８】
このような構成であると、第２のガス供給路８を介してローター５の下面側に排出されたガスが泡となり、この泡が排出路９および空隙部21に排出される。そして排出路９へ排出された泡は、ローター５が回転することによって遠心力でその殆どが排出路９を通ってローター５の外部（ローター５の外周）に排出される。また、空隙部21に排出された泡は、その殆どがローター５の外径の範囲内の溶湯金属11中に分散される。それにより、泡が溶湯金属11中の広範囲に分散でき、溶湯金属11の精製を効率よく行なえる。なお、図３（ｂ）に示すように排出路９の幅をＢ１、空隙部21の幅をＢ２としたとき、Ｂ１／Ｂ２の値が0.8〜1.2の範囲内であることが好ましく、この範囲内であることにより、泡を溶湯金属11中に均一に分散することができ、溶湯金属11の精製を効率よく行なうことができる。
【００２９】
図４は、本実施形態の溶湯金属攪拌用回転体を構成するローターのその他の一例を示す、ローターの下面側から見た斜視図である。
【００３０】
ここで、ガス供給路２から供給されたガスの温度と、溶湯金属11の温度との差によって、第１の隔壁16の空間10側に熱応力が発生しやすくなり、第１の隔壁16の空間10側に熱応力起因による亀裂や破損が生じやすくなることがある。
【００３１】
図４に示すローター５は、第１の隔壁16の空間10側において、第１の隔壁16の高さが空間10側に向かって漸次低くなるように形成されている。
【００３２】
このような構成であると、溶湯金属11の攪拌能力は若干減少するものの、ガスと溶湯金属11との温度差により熱応力が生じやすい第１の隔壁16の空間10側に、熱応力を生じさせないように逃がし19を設けることができる。それにより、第１の隔壁16の空間10側において熱応力に起因する亀裂や破損が生じにくくなる。なお、ここでいう空間10側とは、第１の隔壁16の全長に対して５〜30％の範囲内のことをいう。また、ここでいう逃がし19の形状は、第１の隔壁16の空間10側において、第１の隔壁16の高さが空間10側に向かって漸次低くなるように形成されていれば、テーパーや曲面などの形状とすることが可能であり、なかでも空間10側の第１の隔壁16の体積が少なくなる曲面形状であることが好ましい。
【００３３】
図５は、本実施形態の溶湯金属攪拌用回転体を構成するローターのその他の一例を示す、（ａ）はローターの下面側から見た斜視図，（ｂ）はローターの下面側から見た平面図，（ｃ）は（Ｂ）におけるＡ−Ｏ−Ｂ線での断面図である。
【００３４】
図５に示すローター５は、空間10側から外縁に向かって放射状に延びる複数の第１の隔壁16と、ローター５の外縁に沿って間隔を空けて配置された第２の隔壁17が形成されている。そして、隣り合う第１の隔壁16と第２の隔壁17とは間をあけて配置されており（非接触となるように配置されており）、第１の隔壁16と第２の隔壁17と板状体22とで囲まれた空間が排出路９となる。なお、図５においては、放射状に延びる複数の第１隔壁16の軸線と交わらないように第２の隔壁17を配置した例を示している。また、ローター５を下面側から平面視したとき、第１の隔壁16は、空間10の縁と間を空けて位置している例を示している。
【００３５】
このような構成であると、外縁側において、第２の隔壁17間が排出口となる。そして、第１の隔壁16と第２の隔壁17との間を狭くすることによって泡が外縁方向に速く流れるようになる。それにより、排出口からより勢いよく泡をローター５の外部に分散させることができ、より溶湯金属11の精製を効率よく行なうことができる。
【００３６】
また、隣り合う第１の隔壁16のうち片側だけが第２の隔壁17と間をあけて配置されていてもよく、この場合、ローター５の回転方向とは逆側の第１の隔壁16だけが第２の隔壁17と間をあけて配置されていることが好適である。
【００３７】
このような構成であると、ローター５の回転方向側の第１の隔壁16と第２の隔壁17とが接続していることから、第１の隔壁16と第２の隔壁17と板状体22とで囲まれた空間（排出路９）に泡を保持しやすくなり、さらに効率よくガスをローター５の外部に分散させることができる。
【００３８】
また、ローター５を下面側から平面視したとき、第１の隔壁16が、空間10の縁と間を空けて位置していることにより、空間10の周辺の厚みが第１の隔壁16により局所的に厚くなることを抑制できる。それにより、ローター５における応力集中をより緩和することができる。
【００３９】
また、本実施形態の溶湯金属攪拌用回転体１を構成するローター５は、第１の隔壁16の高さが第２の隔壁17の高さ以下であることが好適である。
【００４０】
このような構成であると、第１の隔壁16を沿って流れる泡が、第１の隔壁16を越えて外縁側に流れることがあっても、第１の隔壁16を泡が越えるときに切り裂かれることとなり、より微細な泡をローター５の外部により効率よく分散させることができる。
【００４１】
図６は、本実施形態の溶湯金属攪拌用回転体を構成するローターのその他の一例を示す、ローターの下面側から見た平面図である。
【００４２】
図６に示すローター５は、第２の隔壁17の間における外縁の少なくとも一部が第２の切り欠き部20とされている。
【００４３】
このような構成であると、泡が第２の切り欠き部20を通って排出される際に、第２の隔壁17により切り裂かれた後、第２の切り欠き部20に切り裂かれることとなり、より微細な泡となる。それにより、微細な泡をローター５の外部に分散させることができ、不純物30を付着する泡の表面積を大きくできることから、溶湯金属11の精製を効率よく行なうことができる。
【００４４】
また、本実施形態の溶湯金属攪拌用回転体１を構成するローター５は、その下面側から平面視したとき、第１の隔壁16が外縁と接して配置することができる。すなわち、例えば、図６に示すローター５においては、第１の隔壁16の一端と第２の切り欠き部20とが接して配置することができる。
【００４５】
このような構成であると、第１の隔壁16と第２の隔壁17との間の排出口を小さくできるうえに、泡が第１の隔壁16と、第２の隔壁17と、第２の切り欠き部20とによって切り裂かれさらに微細になることから、より微細な泡をローター５の外部に分散させることができ、溶湯金属11の精製を効率よく行なうことができる。
【００４６】
図７は、本実施形態の溶湯金属攪拌用回転体を構成するローターのその他の一例を示す、ローターの下面側から見た平面図である。
【００４７】
図７に示すローター５は、第２の切り欠き部20が、外周側からローター５の半径の約半分の長さまで設けられており、さらに第１の隔壁16が、この切り第２の切り欠き部20に沿って設けられている。なお、図７においては、第１の隔壁16は平面視でＵ字状となっている。
【００４８】
それにより、第２のガス供給路８を介してローター５の下面側に排出されたガスが泡となり、この泡がＵ字状の第１の隔壁16の外面に沿って外周側に流れ、第１の隔壁16と第２の隔壁17と第２の切り欠き部20とで形成された排出口より排出されることから、泡を効率よくローター５の外部に分散させることができる。
【００４９】
さらに、第２の切り欠き部20周辺に集中する熱応力を緩和することができるため、繰り返し溶湯金属攪拌用回転体１を溶湯金属11中に浸漬しても、ローター５に亀裂が生じにくい。
【００５０】
また、Ｕ字状の第１の隔壁16は、上述したように、例えばローター５の回転方向とは逆側だけが第２の隔壁17と間をあけて配置されたＪ字状とすることもできる。
【００５１】
なお、ここまでは、排出口から泡が排出されると説明してきたが、泡は少なからず隔壁13、第１の隔壁16および第２の隔壁17を越えて溶湯金属11中に排出されることもあることから、隔壁13、第１の隔壁16および第２の隔壁17の高さ方向の先端形状は、先端に向かう方向につれて細くすることもできる。これにより、さらに泡を微細な泡とすることができ、微細な泡を分散させることができ、泡の表面積を大きくできることから、溶湯金属11の精製を効率よく行なうことができる。
【００５２】
また、本実施形態の溶湯金属攪拌用回転体１を構成するローター５は、排出路９が外縁方向に向けて下向きに傾斜するよう形成することもできる。
【００５３】
このような構成であると、ローター５が回転することによって遠心力で、泡が排出路９から外縁方向に流れるとともに、外縁から排出された泡を容器12の下側に向けて排出することができる。それにより、泡を溶湯金属11中の広範囲に分散させることができさらに溶湯金属11の精製を効率よく行なうことができる。
【００５４】
そして、本実施形態の溶湯金属攪拌用回転体１を構成するシャフト３，ローター５の材質としては、アルミナ，ジルコニア，窒化珪素，炭化珪素またはコージェライトなど種々のセラミックスを適用可能であるが、耐熱衝撃性に優れ、溶湯金属11との濡れ性が低い特性を有している点で、窒化珪素質焼結体からなることが好適である。これにより、メンテナンス時や処理終了後に本実施形態の溶湯金属攪拌用回転体１を溶湯金属11中から引き上げたときに、シャフト３，ローター５への溶湯金属11の付着を極めて少なくすることができる。また、シャフト３とローター５とが同じ材質であることにより、シャフト３とローター５との接続部４において、両者の熱膨張差に起因する締結または嵌合等の緩みや亀裂が生じるおそれを少なくすることができる。
【００５５】
また、上述した本実施形態の溶湯金属撹拌回転体１を備える溶湯金属処理装置25は、部材交換、より具体的にはローター５の交換の回数を低減できるので、メンテナンスコストの削減が図ることができるため、長期間にわたって良好な溶湯金属処理装置25とすることができる。
【００５６】
次に、本実施形態の溶湯金属攪拌用回転体１の製造方法の一例を説明する。
【００５７】
まず、窒化珪素質焼結体からなるローター５を作製する。平均粒径が0.5〜10μｍの窒
化珪素１次原料と、所定量の焼結助剤とバインダと溶媒とを混合してスラリーとした後、スプレードライヤーにより噴霧造粒して窒化珪素２次原料を得る。そして、この窒化珪素２次原料を用いて静水圧プレス成形法（ラバープレス）により、ローター５となる円板状の成形体を得る。その後、この成形体に隔壁13、第１および第２の隔壁16，17、第１および第２の切り欠き部18,20等となる各部位を切削加工により施した後、還元雰囲気炉中で1800〜2100℃の最高温度にて焼成し、必要に応じて研削加工を施して、窒化珪素質焼結体
からなるローター５を得る。なお、ローター５の接続部４の外周面にはシャフト３に取り付けるための雄ねじを設ける。
【００５８】
次に、窒化珪素質焼結体からなるシャフト３を作製する。
【００５９】
まず、ローター５の作製時と同様の方法により窒化珪素２次原料を得て、その後この２次原料を用いて静水圧プレス成形法（ラバープレス）により、シャフト３となる円筒状の成形体を成形し、成形体に切削加工を施した後、還元雰囲気炉中で1800〜2100℃の温度で焼成し、必要に応じて研削加工を施して、窒化珪素質焼結体からなるシャフト３を得る。なお、切削加工または研削加工を施すことにより、シャフト３の下端の内周面に雌ねじを設ける。
【００６０】
そして、シャフト３の雌ねじとローター５の雄ねじとを締結することで、本実施形態の溶湯金属攪拌用回転体１を得ることができる。
【符号の説明】
【００６１】
１：溶湯金属攪拌用回転体
２：第１のガス供給路
３：シャフト
４：接続部
５：ローター
６：回転駆動機構
７：連結具
８：第２のガス供給路
９：排出路
10：空間
11：溶湯金属
12：容器
13：隔壁
14：空間と第２のガス供給路との境界
15：空間と排出路との境界
16：第１の隔壁
17：第２の隔壁
18：第１の切り欠き部
19：逃がし
20：第２の切り欠き部
21：空隙部
22：板状体
25：溶湯金属処理装置
30：不純物
【図１】
2015064190.tif 000003
【図２】
2015064190.tif 000004
【図３】
2015064190.tif 000005
【図４】
2015064190.tif 000006
【図５】
2015064190.tif 000007
【図６】
2015064190.tif 000008
【図７】
2015064190.tif 000009